(57)【特許請求の範囲】
【請求項１】
汚物を受けるボウル部を覆い大便器の外郭を形成する袴部を備えた壁掛け式の便器本体と、
前記便器本体の上面に設けられ、使用者の局部を洗浄する衛生洗浄装置と、
前記衛生洗浄装置に対する給水および止水の切り替え、および、前記衛生洗浄装置に対する給電および給電停止の切り替えの少なくともいずれかを手動操作によって行う切替部と、
前記切替部を前記袴部内において該袴部の下端側から手動操作可能となる前記袴部の下端近傍の高さで該袴部側に寄せた位置に位置決めして固定する固定部材と
を備えることを特徴とするトイレ装置。
【請求項２】
前記固定部材は、
前記便器本体に取り付けられる取付部材と、
前記取付部材に、前記切替部から延びる延出部材を拘束して前記切替部を固定する拘束部材と
を備えることを特徴とする請求項１に記載のトイレ装置。
【請求項３】
前記取付部材は、
板状または略板状に形成されて前記切替部が載置されるとともに、前記切替部を下方に露出させる露出部が形成されること
を特徴とする請求項２に記載のトイレ装置。
【請求項４】
前記取付部材は、
前記露出部の近傍に形成され、前記拘束部材が取り付けられる拘束部材用取付部
を備えることを特徴とする請求項３に記載のトイレ装置。
【請求項５】
前記取付部材は、
前記拘束部材が取り付けられる拘束部材用取付部
を備え、前記拘束部材用取付部は、
前記取付部材において、前記延出部材を所定の湾曲形状で拘束するような位置に形成されること
を特徴とする請求項２〜４のいずれか一つに記載のトイレ装置。
【請求項６】
前記取付部材は、
板状または略板状に形成されるとともに、外周縁に形成された壁部を介して前記袴部の内壁に取り付けられること
を特徴とする請求項２〜５のいずれか一つに記載のトイレ装置。
【請求項７】
前記切替部は、
前記衛生洗浄装置に対する給水および止水を切り替えるバルブ、および、前記衛生洗浄装置に対する給電および給電停止を切り替える接続端子、スイッチの少なくともいずれかを含むこと
を特徴とする請求項１〜６のいずれか一つに記載のトイレ装置。
【発明の詳細な説明】
【技術分野】
【０００１】
開示の実施形態は、トイレ装置に関する。
【背景技術】
【０００２】
従来、壁掛け式の便器本体と、便器本体の上面に設けられ、使用者の局部を洗浄する衛生洗浄装置とを備えたトイレ装置が知られている（たとえば、特許文献１参照）。
【０００３】
上記した衛生洗浄装置には、給水系統と給電系統とが接続される。かかる給水系統は、衛生洗浄装置に対する給水および止水の切り替えを手動操作によって行う止水栓を備え、給電系統は、衛生洗浄装置に対する給電および給電停止の切り替えを手動操作によって行うコンセントプラグを備えている。また、従来技術にあっては、上記した止水栓やコンセントプラグを、便器本体が取り付けられる壁の内部に配置して隠蔽するように構成される。
【先行技術文献】
【特許文献】
【０００４】
【特許文献１】特開２０１５−０３１１４０号公報
【発明の概要】
【発明が解決しようとする課題】
【０００５】
しかしながら、たとえば緊急時に使用者が止水や給電停止を行う場合、従来技術における止水栓などは、使用者のアクセスしにくい壁の内部に配置されるため、止水等を容易に行うことが難しかった。
【０００６】
実施形態の一態様は、衛生洗浄装置に対する給水および止水の切り替えや、給電および給電停止の切り替えを容易に行うことができるトイレ装置を提供することを目的とする。
【課題を解決するための手段】
【０００７】
実施形態の一態様に係るトイレ装置は、汚物を受けるボウル部を覆い大便器の外郭を形成する袴部を備えた壁掛け式の便器本体と、前記便器本体の上面に設けられ、使用者の局部を洗浄する衛生洗浄装置と、前記衛生洗浄装置に対する給水および止水の切り替え、および、前記衛生洗浄装置に対する給電および給電停止の切り替えの少なくともいずれかを手動操作によって行う切替部と、前記切替部を前記袴部内において手動操作可能な位置に位置決めして固定する固定部材とを備えることを特徴とする。
【０００８】
これにより、衛生洗浄装置に対する給水および止水の切り替えや、給電および給電停止の切り替えを容易に行うことができる。
【０００９】
また、前記固定部材は、前記切替部を前記袴部の下端近傍の高さに位置決めして固定することを特徴とする。これにより、使用者は袴部の下端側から手を入れて切替部を容易に手動操作することが可能になり、よって衛生洗浄装置に対する給水および止水の切り替えや、給電および給電停止の切り替えをより一層容易に行うことができる。
【００１０】
また、前記固定部材は、前記切替部を前記袴部側に寄せた位置に位置決めして固定することを特徴とする。これにより、切替部は、たとえば排水トラップ管路側に寄せた位置に配置される場合に比べて、手動操作を行う使用者側に近接して配置される。そのため、使用者は袴部の下端側から手を入れたときに、切替部を容易に手動操作することが可能になり、よって衛生洗浄装置に対する給水および止水の切り替えや、給電および給電停止の切り替えをより一層容易に行うことができる。
【００１１】
また、前記固定部材は、前記便器本体に取り付けられる取付部材と、前記取付部材に、前記切替部から延びる延出部材を拘束して前記切替部を固定する拘束部材とを備えることを特徴とする。これにより、切替部を簡易な構成で位置決めして固定することができる。
【００１２】
また、前記取付部材は、板状または略板状に形成されて前記切替部が載置されるとともに、前記切替部を下方に露出させる露出部が形成されることを特徴とする。これにより、使用者は、切替部に容易にアクセスして手動操作することができ、よって衛生洗浄装置に対する給水および止水の切り替えなどをより一層容易に行うことができる。
【００１３】
また、前記取付部材は、前記露出部の近傍に形成され、前記拘束部材が取り付けられる拘束部材用取付部を備えることを特徴とする。これにより、露出部に載置された切替部を拘束部材によって取付部材に強固に固定することができ、切替部の位置ズレを抑制することができる。
【００１４】
また、前記取付部材は、前記拘束部材が取り付けられる拘束部材用取付部を備え、前記拘束部材用取付部は、前記取付部材において、前記延出部材を所定の湾曲形状で拘束するような位置に形成されることを特徴とする。これにより、延出部材においては、最小曲げ半径を確保することが可能になり、よってキンクの発生を防止することができる。
【００１５】
また、前記取付部材は、板状または略板状に形成されるとともに、外周縁に形成された壁部を介して前記袴部の内壁に取り付けられることを特徴とする。これにより、取付部材を便器本体の袴部内に容易に取り付けることができる。
【００１６】
また、前記切替部は、前記衛生洗浄装置に対する給水および止水を切り替えるバルブ、および、前記衛生洗浄装置に対する給電および給電停止を切り替える接続端子、スイッチの少なくともいずれかを含むことを特徴とする。これにより、衛生洗浄装置に対する給水および止水の切り替えや、給電および給電停止の切り替えを、簡易な構成で容易に行うことができる。
【発明の効果】
【００１７】
実施形態の一態様によれば、トイレ装置において、衛生洗浄装置に対する給水および止水の切り替えや、給電および給電停止の切り替えを容易に行うことができる。
【図面の簡単な説明】
【００１８】
【図１】図１は、第１の実施形態に係るトイレ装置を示す斜視図である。
【図２】図２は、衛生洗浄装置を取り外した状態の便器を示す平面図である。
【図３】図３は、図２のIII−III線断面図である。
【図４】図４は、固定部材の平面図である。
【図５】図５は、ブラケットの平面図である。
【図６Ａ】図６Ａは、バルブ等のブラケットへの取り付けを説明するための図である。
【図６Ｂ】図６Ｂは、バルブ等のブラケットへの取り付けを説明するための図である。
【図６Ｃ】図６Ｃは、バルブ等のブラケットへの取り付けを説明するための図である。
【図７Ａ】図７Ａは、接続端子等のブラケットへの取り付けを説明するための図である。
【図７Ｂ】図７Ｂは、接続端子等のブラケットへの取り付けを説明するための図である。
【図８】図８は、便器を袴部の背面部側から見たときの図である。
【図９Ａ】図９Ａは、便器を壁に取り付ける前の状態を示す斜視図である。
【図９Ｂ】図９Ｂは、便器を壁に取り付けた後の状態を示す斜視図である。
【図１０】図１０は、衛生洗浄装置を便器に取り付ける様子を示す斜視図である。
【図１１】図１１は、ブラケットを便器に取り付ける様子を斜め下から見たときの斜視図である。
【図１２】図１２は、第２の実施形態に係るトイレ装置において、接続端子付近を拡大して示す拡大断面図である。
【図１３】図１３は、第１の変形例に係るブラケットの部分断面図である。
【図１４】図１４は、第２の変形例に係るブラケットの斜視図である。
【発明を実施するための形態】
【００１９】
以下、添付図面を参照して、本願の開示するトイレ装置の実施形態を詳細に説明する。なお、以下に示す実施形態によりこの発明が限定されるものではない。
【００２０】
（第１の実施形態）
図１は、第１の実施形態に係るトイレ装置を示す斜視図である。なお、図１には、説明を分かり易くするために、互いに直交するＸ軸方向、Ｙ軸方向およびＺ軸方向を規定し、Ｚ軸正方向を鉛直上向き方向とする３次元の直交座標系を図示している。かかる直交座標系は、後述の説明に用いる他の図面でも示す場合がある。また、図１および図２以降に示す図は、いずれも模式図である。
【００２１】
図１に示すように、トイレ装置１は、便器本体（以下「便器」と記載する場合がある）１０と、便器１０の上面に設けられる衛生洗浄装置３０とを備える。便器１０は、トイレ室の床面Ｆから立設する壁Ｗに取り付けられる壁掛け式の洋式大便器である。なお、上記した便器１０の壁Ｗへの取り付けについては、後に説明する。また、壁Ｗは、たとえばタイルやモルタル等を含む材料によって形成されるが、壁Ｗの材料は、これに限られるものではない。
【００２２】
図２は、衛生洗浄装置３０を取り外した状態の便器１０を示す平面図であり、図３は、図２のIII−III線断面図である。図２および図３に示すように、便器１０は、導水路１１（図３参照）と、ボウル部１２と、排水トラップ管路１３と、排水路１４（図３参照）と、袴部１５とを備える。
【００２３】
図３に示すように、導水路１１は、壁Ｗから突出する洗浄水供給管５０の一端に接続される。かかる洗浄水供給管５０の他端は、壁Ｗの内部に配置された洗浄水用のタンク（図示せず）に接続される。したがって、導水路１１には、便器洗浄が行われる場合に、タンクから供給された洗浄水が流通する。
【００２４】
ボウル部１２は、導水路１１に接続されるとともに、汚物を受けることが可能なボウル状に形成される。詳しくは、ボウル部１２は、汚物を受けることが可能な汚物受け面１６と、汚物受け面１６の上縁に形成されるリム部１７とを備える。
【００２５】
リム部１７には、導水路１１に接続されるリム導水路１７ａが形成される。リム導水路１７ａは、汚物受け面１６側に吐出口が設けられ、よって導水路１１の洗浄水は、リム導水路１７ａの吐出口を介して汚物受け面１６へ吐水され、汚物受け面１６が洗浄される。
【００２６】
排水トラップ管路１３は、入口部１３ａと、溜水部１３ｂとを備える。入口部１３ａは、汚物受け面１６の底部と連続するように設けられ、ボウル部１２からの洗浄水を排水トラップ管路１３へ流入させる。溜水部１３ｂは、入口部１３ａから下方へ向けて延びた後、斜め上方へ向けて延びるように形成され、所定量の洗浄水が溜まる形状とされる。このように、排水トラップ管路１３は、溜水部１３ｂに洗浄水が溜まり、封水として機能することで、排水管５１からの臭気等がボウル部１２側へ逆流することを防止する。
【００２７】
排水路１４は、一端側が排水トラップ管路１３の出口に接続される一方、他端側が排水管５１に接続される。したがって、便器洗浄が行われる場合、汚物受け面１６を洗浄した洗浄水は、排水トラップ管路１３の入口部１３ａ、溜水部１３ｂおよび排水路１４を介して排水管５１へと排水される。
【００２８】
袴部１５は、上記したボウル部１２や排水トラップ管路１３を周縁側から覆い大便器の外郭を形成する。詳しくは、袴部１５は、リム部１７の上面１７ｂの周縁１７ｂ１から下方の床面Ｆ側へ向けて延在して形成され、ボウル部１２等を取り囲むように構成される。
【００２９】
したがって、袴部１５の内部には、上記したボウル部１２や排水トラップ管路１３などが収納されるとともに、ボウル部１２等以外の部分に空間が形成されることとなる。以下では、袴部１５の内部に形成される空間を「内部空間Ａ」と記載する場合がある。
【００３０】
また、袴部１５の下端１５ａには、開口部１５ｂが形成される。これにより、袴部１５の内部空間Ａと外気（正確にはトイレ室の室内空間）とが開口部１５ｂを介して連通される。
【００３１】
また、袴部１５の下端１５ａの床面Ｆからの高さＨ１は、適宜に設定可能であるが、たとえば使用者の手が便器１０の下部へ入る程度の高さに設定されることが好ましい。
【００３２】
なお、上記した袴部１５は、ボウル部１２と一体的に形成されるが、これに限られず、別体で形成されたものであってもよい。また、以下では、袴部１５において、ボウル部１２を基準とした場合のＹ軸負方向にある部分を「正面部１５ｃ」、Ｙ軸正方向の壁Ｗ側にある部分を「背面部１５ｄ」、Ｘ軸正方向および負方向にある部分を「側面部１５ｅ」と記載する場合がある。
【００３３】
図１に示すように、衛生洗浄装置３０は、便器１０の上面、正確には、リム部１７の上面１７ｂに設けられ、使用者の局部を洗浄する。具体的には、衛生洗浄装置３０は、本体部４０と、便座１００と、便蓋２００とを備える。便座１００および便蓋２００はともに、開閉可能なように本体部４０に取り付けられる。
【００３４】
本体部４０は、ケース４１と、ノズルユニット４２とを備える。ケース４１は、ノズルユニット４２などを収納する。ノズルユニット４２は、洗浄ノズル４３を備える。
【００３５】
上記した洗浄ノズル４３は、ケース４１に対して進退可能に構成される。詳しくは、洗浄ノズル４３には、図示しない電動モータなどの駆動源が接続される。かかる駆動源は、図示しない電源に接続されて電力が供給される。洗浄ノズル４３は、駆動源の駆動により、便器１０のボウル部１２内へ進出した位置と、ケース４１内に後退して格納される位置との間で進退させられる。なお、図１では、進出した位置にある洗浄ノズル４３を示している。
【００３６】
また、洗浄ノズル４３は、図示しない水道管などの水源に接続される。そして、洗浄ノズル４３は、ボウル部１２内へ進出した位置にあるときに、水源からの水を使用者の身体へ噴出させて局部を洗浄する。なお、本明細書において、「水」なる表現は、必ずしも冷水の意味ではなく、温水を含む意味で使用する場合がある。
【００３７】
このように、衛生洗浄装置３０には、使用者の局部を洗浄する洗浄動作を行うために、水源からの給水系統および電源からの給電系統が接続される。なお、衛生洗浄装置３０において、給電系統から電力が供給される負荷は、上記した駆動源に限られず、たとえば、洗浄ノズル４３へ水を供給する流路を開閉する電磁弁や、水源から供給された水を加熱するヒータなどが含まれていてもよい。
【００３８】
ところで、上記した給水系統は、衛生洗浄装置３０に対する給水および止水の切り替えを手動操作によって行う止水栓（図示せず）を備える。また、給電系統は、衛生洗浄装置３０に対する給電および給電停止の切り替えを手動操作によって行うコンセントプラグ（図示せず）を備える。そして、上記した止水栓やコンセントプラグは、壁Ｗの内部に配置されて隠蔽されることがある。
【００３９】
しかしながら、止水栓などが使用者のアクセスしにくい壁Ｗの内部に配置されると、たとえば緊急時など、衛生洗浄装置３０への給水や給電を咄嗟に停止させる必要性が生じた場合に、使用者は止水等を容易に行うことが難しかった。なお、本明細書における「使用者」は、トイレ装置１を利用する者に限られず、たとえば、衛生洗浄装置３０に対して止水等の各種作業を行う者を含む意味で用いる場合がある。
【００４０】
そこで、本実施形態に係るトイレ装置１にあっては、図１に示すように、衛生洗浄装置３０に対する給水および止水の切り替えを手動操作によって行うバルブ６０と、衛生洗浄装置３０に対する給電および給電停止の切り替えを手動操作によって行う接続端子７２とを備えるようにした。さらに、トイレ装置１は、上記したバルブ６０および接続端子７２を袴部１５内において手動操作可能な位置に位置決めして固定する固定部材８０を備えるようにした。なお、図１にあっては、理解の便宜のため、袴部１５内の構成を部分的に透視して示している。
【００４１】
これにより、使用者は、たとえば緊急時にバルブ６０や接続端子７２を手動操作することで、衛生洗浄装置３０に対する給水および止水の切り替えや、給電および給電停止の切り替えを容易に行うことができる。
【００４２】
以下、トイレ装置１の構成についてさらに詳しく説明する。図４は、図１に示すトイレ装置１の固定部材８０の平面図である。なお、図４では、理解の便宜のため、便器１０の外形を一点鎖線で示す。
【００４３】
図１および図４に示すように、トイレ装置１は、第１給水管６１ａと、第２給水管６１ｂと、第１電源コード７１ａと、第２電源コード７１ｂとを備える。第１給水管６１ａは、図４に示すように、一端が水源に接続される一方、他端には第１接続部材６２ａが設けられる。また、第２給水管６１ｂは、一端が衛生洗浄装置３０に接続される一方、他端には第２接続部材６２ｂが設けられる。なお、第１、第２給水管６１ａ，６１ｂとしては、たとえば屈曲自在なフレキシブルホースを用いることができるが、これに限定されるものではない。
【００４４】
また、第１給水管６１ａの第１接続部材６２ａと、第２給水管６１ｂの第２接続部材６２ｂとが、上記したバルブ６０を介して接続される。バルブ６０としては、たとえば使用者によって手動操作可能な操作部６０ａ（図４で見えず。図６Ａ参照）を備えたボールバルブを用いることができるが、これに限定されるものではない。すなわち、バルブ６０は、たとえばハンドル式のゲートバルブなどその他の種類のバルブであってもよい。
【００４５】
したがって、たとえばバルブ６０が手動操作によって開弁される場合に、衛生洗浄装置３０に対する給水が行われる。そして、バルブ６０が手動操作によって閉弁されると、衛生洗浄装置３０に対する給水の状態から止水の状態に切り替わる。なお、バルブ６０は、衛生洗浄装置３０に対する給水および止水を切り替える切替部の一例である。また、第１給水管６１ａおよび第２給水管６１ｂは、切替部たるバルブ６０から延びる延出部材の一例である。なお、上記したバルブ６０の配置位置などについては、後に詳しく説明する。
【００４６】
上記した接続端子７２は、第１接続端子７２ａと第２接続端子７２ｂとを含む。かかる第１接続端子７２ａは、第１電源コード７１ａの端部に設けられ、第２接続端子７２ｂは、第２電源コード７１ｂの端部に設けられる。
【００４７】
詳しくは、第１電源コード７１ａは、一端が電源に接続される一方、他端には第１接続端子７２ａが設けられる。また、第２電源コード７１ｂは、一端が衛生洗浄装置３０に接続される一方、他端には第２接続端子７２ｂが設けられる。第１、第２電源コード７１ａ，７１ｂはともに、屈曲自在な電源コードとされる。
【００４８】
第１電源コード７１ａと第２電源コード７１ｂとは、第１接続端子７２ａと第２接続端子７２ｂとが接続されることで、電気的に接続され、これにより衛生洗浄装置３０に対する給電が行われる。そして、たとえば、第１接続端子７２ａが手動操作によって第２接続端子７２ｂから取り外されると、衛生洗浄装置３０に対する給電の状態から給電停止の状態に切り替わる。なお、接続端子７２は、衛生洗浄装置３０に対する給電および給電停止を切り替える切替部の一例である。また、第１電源コード７１ａおよび第２電源コード７１ｂは、切替部たる接続端子７２から延びる延出部材の一例である。なお、上記した接続端子７２の配置位置などについては、後に詳しく説明する。
【００４９】
上記のように構成された第１、第２給水管６１ａ，６１ｂやバルブ６０を含む給水系統、および、第１、第２電源コード７１ａ，７１ｂや接続端子７２を含む給電系統が、固定部材８０に固定される。
【００５０】
固定部材８０は、図１および図４に示すように、取付部材８１と、取付部材８１に、第１、第２給水管６１ａ，６１ｂや第１、第２電源コード７１ａ，７１ｂを拘束してバルブ６０や接続端子７２を固定する拘束部材９１，９２とを備える。
【００５１】
拘束部材９１，９２は、たとえば帯状または略帯状に形成され、一方の面にオス部、他方の面にメス部が形成される一体型の面ファスナである。なお、上記では、拘束部材９１，９２として面ファスナを用いたが、これに限定されるものではなく、たとえば結束バンドなどを用いてもよい。また、拘束部材９１は給水系統用、拘束部材９２は給電系統用の拘束部材である。
【００５２】
取付部材８１は、便器１０に取り付けられるともに、上記したバルブ６０や接続端子７２などが載置される。以下では、取付部材８１を「ブラケット８１」と記載する場合がある。
【００５３】
図５は、便器１０に取り付けられた状態のブラケット８１の平面図である。なお、図５では、理解の便宜のため、便器１０の外形を一点鎖線で示すとともに、バルブ６０や接続端子７２などの部材の図示を省略した。
【００５４】
図３および図５に示すように、ブラケット８１（図３において一点鎖線で示す）は、板状または略板状に形成される。
【００５５】
なお、図３では、図示の簡略化のため、バルブ６０を一点鎖線で図示し、接続端子７２などの図示を省略した。また、図５では、説明し易くするために、ブラケット８１において、バルブ６０を含む給水系統が載置される部位を「給水系統載置部位８２ａ」、接続端子７２を含む給電系統が載置される部位を「給電系統載置部位８２ｂ」とし、それぞれ破線で囲んで示す。また、ブラケット８１において、後述するように、便器１０に取り付けられる部位を「取付部位８２ｃ」とし、同様に破線で囲んで示す。
【００５６】
図５に示すように、ブラケット８１は、平面視において略Ｕ字状に形成され、便器１０の袴部１５と排水トラップ管路１３との間に位置される。ブラケット８１において、便器１０の袴部１５と対向する部位を外周縁８１ａ、排水トラップ管路１３と対向する部位を内周縁８１ｂとした場合、外周縁８１ａの形状は、袴部１５の内壁１５ｆに即した形状とされる。また、ブラケット８１の内周縁８１ｂの形状は、排水トラップ管路１３の外形に即した形状とされる。
【００５７】
これにより、ブラケット８１を便器１０に取り付けた状態において、ブラケット８１と袴部１５との間、および、ブラケット８１と排水トラップ管路１３との間に隙間を生じにくくすることが可能となる。そのため、たとえば、ブラケット８１に載置された第１、第２給水管６１ａ，６１ｂや第１、第２電源コード７１ａ，７１ｂなどが、ブラケット８１から落下したり、ブラケット８１と袴部１５との間の隙間などに挟み込まれたりすることを防止することができる。
【００５８】
また、ブラケット８１は、給水系統載置部位８２ａにおいて、露出部８３と、第１〜第３挿通孔８４ａ〜８４ｃと、第１〜第３掛止部８５ａ〜８５ｃとを備える。なお、第１〜第３挿通孔８４ａ〜８４ｃおよび第１〜第３掛止部８５ａ〜８５ｃは、拘束部材用取付部の一例である。
【００５９】
露出部８３は、平面視において矩形状または略矩形状の開口である。また、露出部８３は、ブラケット８１において外周縁８１ａに沿うように形成される。言い換えれば、露出部８３は、便器１０に取り付けられた状態のブラケット８１において、袴部１５側に寄せた位置、詳しくは袴部１５の側面部１５ｅの内壁１５ｆに寄せた位置に形成される。かかる露出部８３は、後述するようにバルブ６０が載置され、バルブ６０を下方に露出させる（図６Ｂ参照）。
【００６０】
なお、露出部８３の形状は、上記した矩形状または略矩形状に限られず、バルブ６０を下方に露出させることができれば、円形状や楕円形状などその他の形状であってもよい。また、露出部８３は、必ずしも開口であることを要せず、たとえば外周縁８１ａを切り欠いた切欠きであってもよい。
【００６１】
第１〜第３挿通孔８４ａ〜８４ｃは、それぞれ拘束部材９１が挿通されて取り付けられる開口である。第１挿通孔８４ａは、給水系統載置部位８２ａにおいてＹ軸正方向側、換言すれば、壁Ｗ側の端部に形成される。また、第１挿通孔８４ａおよび第２挿通孔８４ｂは、露出部８３の近傍に形成されるとともに、平面視において露出部８３を挟むような位置に形成される。なお、第１挿通孔８４ａには、図４などから分かるように、２本の拘束部材９１が挿通される。また、第３挿通孔８４ｃは、第２挿通孔８４ｂに対して内周縁８１ｂ側にずれた位置に形成される。
【００６２】
第１〜第３掛止部８５ａ〜８５ｃは、それぞれ拘束部材９１が掛止されて取り付けられる部位である。第１掛止部８５ａは、外周縁８１ａにおいて第１挿通孔８４ａに対応する位置に形成される外周縁側第１掛止部８５ａ１と、内周縁８１ｂにおいて第１挿通孔８４ａに対応する位置に形成される内周縁側第１掛止部８５ａ２とを備える。
【００６３】
また、第２掛止部８５ｂは、外周縁８１ａにおいて第２挿通孔８４ｂに対応する位置に形成され、第３掛止部８５ｃは、内周縁８１ｂにおいて第３挿通孔８４ｃに対応する位置に形成される。
【００６４】
外周縁側第１掛止部８５ａ１および第２掛止部８５ｂは、第１、第２挿通孔８４ａ，８４ｂと同様、露出部８３の近傍に形成されるとともに、平面視において露出部８３を挟むような位置に形成される。
【００６５】
また、外周縁側第１掛止部８５ａ１および第２掛止部８５ｂは、ブラケット８１の外周縁８１ａの一部を切り欠いた切欠き形状とされ、また、内周縁側第１掛止部８５ａ２は、ブラケット８１の内周縁８１ｂの一部を切り欠いた切欠き形状とされる。
【００６６】
ここで、バルブ６０や第１、第２給水管６１ａ，６１ｂのブラケット８１への取り付けについて、図６Ａ〜図６Ｃを参照しつつ説明する。図６Ａ〜図６Ｃは、バルブ６０等のブラケット８１への取り付けを説明するための図である。
【００６７】
図６Ａに示すように、バルブ６０をブラケット８１の露出部８３の上方に位置させる。このとき、バルブ６０は、操作部６０ａが下方となるように位置される。その後、図６Ｂに示すように、バルブ６０を露出部８３に載置させるとともに、第１給水管６１ａを第１挿通孔８４ａと外周縁側第１掛止部８５ａ１との間に、第２給水管６１ｂを第２挿通孔８４ｂと第２掛止部８５ｂとの間に載置させる。これにより、バルブ６０の操作部６０ａは、露出部８３を介して下方に露出させられる。
【００６８】
次いで、図６Ｃに示すように、第２給水管６１ｂを、ブラケット８１上でＵターンするように湾曲させるとともに、第３挿通孔８４ｃと第３掛止部８５ｃとの間、および、第１挿通孔８４ａと内周縁側第１掛止部８５ａ２（図６Ｃで見えず）との間を通るようにして載置する。なお、第２給水管６１ｂは、所定の湾曲形状に湾曲させられるが、これについては後述する。
【００６９】
続いて、上記のようにしてブラケット８１に載置された第１給水管６１ａ等を、拘束部材９１を用いてブラケット８１に拘束する。具体的には、第１挿通孔８４ａに挿通させられた拘束部材９１を外周縁側第１掛止部８５ａ１に掛止させつつブラケット８１に巻き付けることで、第１給水管６１ａをブラケット８１に拘束する。
【００７０】
同様に、第２挿通孔８４ｂに挿通させられた拘束部材９１を第２掛止部８５ｂに掛止させつつブラケット８１に巻き付けることで、第２給水管６１ｂをブラケット８１に拘束する。また、第３挿通孔８４ｃに挿通させられた拘束部材９１を第３掛止部８５ｃに、第１挿通孔８４ａに挿通させられた拘束部材９１を内周縁側第１掛止部８５ａ２に掛止させつつブラケット８１に巻き付けることで、第２給水管６１ｂをブラケット８１に拘束する。
【００７１】
このように、バルブ６０を露出部８３に載置させた状態で、バルブ６０の両端にある第１、第２給水管６１ａ，６１ｂをブラケット８１に拘束する。露出部８３は、上記したように、ブラケット８１の袴部１５側に寄せた位置に形成されることから、バルブ６０は、袴部１５側に寄せた位置、詳しくは袴部１５の側面部１５ｅの内壁１５ｆに寄せた位置に位置決めして固定される（図４参照）。
【００７２】
これにより、バルブ６０は、たとえば排水トラップ管路１３側に寄せた位置に配置される場合に比べて、手動操作を行う使用者側に近接して配置される。そのため、使用者は袴部１５の下端１５ａ側から手を入れたときに、バルブ６０を容易に手動操作することが可能になり、よって衛生洗浄装置３０に対する給水および止水の切り替えをより一層容易に行うことができる。
【００７３】
上記したように、第１、第２挿通孔８４ａ，８４ｂ、外周縁側第１掛止部８５ａ１および第２掛止部８５ｂは、露出部８３の近傍に形成されることから、バルブ６０をより強固にブラケット８１に固定することができ、バルブ６０の位置ズレを抑制することができる。
【００７４】
すなわち、第１、第２挿通孔８４ａ，８４ｂ等は、平面視において露出部８３を挟むような位置に形成されるため、露出部８３に載置されるバルブ６０は、両端側が拘束部材９１によって拘束されることとなる。これにより、バルブ６０は、ブラケット８１に強固に固定され、よってたとえば手動操作されて力が作用するような場合に、バルブ６０に位置ズレが生じることを抑制することができる。なお、この明細書において、第１、第２挿通孔８４ａ，８４ｂ等が形成される「露出部８３の近傍」とは、たとえば露出部８３に載置されるバルブ６０に対して、拘束部材９１の拘束力が及ぶ範囲を意味する。
【００７５】
また、上記したように、外周縁側第１掛止部８５ａ１、内周縁側第１掛止部８５ａ２および第２掛止部８５ｂは、切欠き形状とされることから、たとえば拘束部材９１の位置ズレを抑制することができる。
【００７６】
すなわち、たとえば、バルブ６０が手動操作されたり、衛生洗浄装置３０が便器１０に取り付けられたりする際に、拘束部材９１には、拘束部材９１をずらす方向への力が作用する場合がある。かかる場合であっても、拘束部材９１は、切り欠き状の外周縁側第１掛止部８５ａ１等に引っ掛かるため、拘束部材９１の位置ズレを抑制することができる。
【００７７】
なお、第３掛止部８５ｃに取り付けられた拘束部材９１は、バルブ６０が手動操作された場合でも拘束部材９１をずらす方向への力が作用しにくいため、第３掛止部８５ｃは切欠き形状とされないが、これに限定されるものではなく、切欠き形状であってもよい。
【００７８】
次に、第２給水管６１ｂのブラケット８１上での形状である「所定の湾曲形状」について図４を参照しつつ説明する。所定の湾曲形状とは、たとえば、図４に破線で示すように、第２給水管６１ｂの最小曲げ半径Ｒ１以上の半径を有する湾曲形状である。ここで、最小曲げ半径Ｒ１は、第２給水管６１ｂに折れや捩れ等のキンクが発生しにくい曲げ半径の最小値を意味する。
【００７９】
第２給水管６１ｂは、上記した所定の湾曲形状となるように湾曲させられつつブラケット８１に載置され、その後拘束部材９１によってブラケット８１に拘束される。上記した第２、第３挿通孔８４ｂ，８４ｃおよび第２、第３掛止部８５ｂ，８５ｃ（拘束部材用取付部）は、ブラケット８１において、第２給水管６１ｂ（延出部材）を所定の湾曲形状で維持したまま拘束するような位置に形成される。これにより、第２給水管６１ｂにおいては、最小曲げ半径Ｒ１を確保することができ、よってキンクの発生を防止することができる。
【００８０】
次に、ブラケット８１の給電系統載置部位８２ｂについて図５を参照して説明する。図５に示すように、ブラケット８１は、給電系統載置部位８２ｂにおいて、第４挿通孔８４ｄと、第４掛止部８５ｄとを備える。なお、第４挿通孔８４ｄおよび第４掛止部８５ｄは、拘束部材用取付部の一例である。
【００８１】
第４挿通孔８４ｄは、拘束部材９２が挿通されて取り付けられる開口である。第４挿通孔８４ｄは、給電系統載置部位８２ｂにおいてＹ軸正方向側、換言すれば、壁Ｗ側の端部に形成される。なお、第４挿通孔８４ｄには、図４などから分かるように、２本の拘束部材９２が挿通される。
【００８２】
第４掛止部８５ｄは、拘束部材９２が掛止されて取り付けられる部位である。第４掛止部８５ｄは、内周縁８１ｂにおいて第４挿通孔８４ｄに対応する位置に形成される内周縁側第４掛止部８５ｄ１と、外周縁８１ａにおいて第４挿通孔８４ｄに対応する位置に形成される外周縁側第４掛止部８５ｄ２とを備える。
【００８３】
内周縁側第４掛止部８５ｄ１は、ブラケット８１の内周縁８１ｂの一部を切り欠いた切欠き形状とされ、また、外周縁側第４掛止部８５ｄ２は、ブラケット８１の外周縁８１ａの一部を切り欠いた切欠き形状とされる。
【００８４】
また、外周縁側第４掛止部８５ｄ２は、ブラケット８１において外周縁８１ａに沿うように形成される。言い換えれば、外周縁側第４掛止部８５ｄ２は、便器１０に取り付けられた状態のブラケット８１において、袴部１５側に寄せた位置、詳しくは袴部１５の側面部１５ｅの内壁１５ｆに寄せた位置に形成される。
【００８５】
ここで、接続端子７２や第１、第２電源コード７１ａ，７１ｂのブラケット８１への取り付けについて、図７Ａ，７Ｂを参照しつつ説明する。図７Ａ，７Ｂは、接続端子７２等のブラケット８１への取り付けを説明するための図である。
【００８６】
図７Ａに示すように、第１電源コード７１ａを第４挿通孔８４ｄ（図７Ａで見えず）と内周縁側第４掛止部８５ｄ１との間に載置させつつ、ブラケット８１上で所定の湾曲形状に湾曲させる。なお、第１電源コード７１ａの所定の湾曲形状については、後述する。
【００８７】
また、接続端子７２を第４挿通孔８４ｄと外周縁側第４掛止部８５ｄ２との間に載置させる。続いて、図７Ｂに示すように、ブラケット８１に載置された第１電源コード７１ａ等を、拘束部材９２を用いてブラケット８１に拘束する。具体的には、第４挿通孔８４ｄに挿通させられた拘束部材９２を内周縁側第４掛止部８５ｄ１に掛止させつつブラケット８１に巻き付けることで、第１電源コード７１ａをブラケット８１に拘束する。
【００８８】
また、第４挿通孔８４ｄに挿通させられた拘束部材９２を外周縁側第４掛止部８５ｄ２に掛止させつつブラケット８１に巻き付けることで、接続端子７２をブラケット８１に拘束する。これにより、接続端子７２がブラケット８１に対して位置ズレすることを効果的に抑制することができる。
【００８９】
また、外周縁側第４掛止部８５ｄ２は、上記したように、ブラケット８１の袴部１５側に寄せた位置に形成される。接続端子７２は、かかる外周縁側第４掛止部８５ｄ２と第４挿通孔８４ｄとの間に拘束されることから、袴部１５側に寄せた位置、詳しくは袴部１５の側面部１５ｅの内壁１５ｆに寄せた位置に位置決めして固定される（図４参照）。
【００９０】
これにより、接続端子７２は、たとえば排水トラップ管路１３側に寄せた位置に配置される場合に比べて、手動操作を行う使用者側に近接して配置される。そのため、使用者は袴部１５の下端１５ａ側から手を入れたときに、接続端子７２を容易に手動操作することが可能になり、よって衛生洗浄装置３０に対する給電および給電停止の切り替えをより一層容易に行うことができる。
【００９１】
また、上記したように、内周縁側第４掛止部８５ｄ１および外周縁側第４掛止部８５ｄ２は、切欠き形状とされることから、たとえば拘束部材９２の位置ズレを抑制することができる。
【００９２】
すなわち、たとえば、接続端子７２が手動操作されたり、衛生洗浄装置３０が便器１０に取り付けられたりする際に、拘束部材９２には、拘束部材９２をずらす方向への力が作用する場合がある。そのような場合であっても、拘束部材９２は、切り欠き状の内周縁側第４掛止部８５ｄ１等に引っ掛かるため、拘束部材９２の位置ズレを抑制することができる。
【００９３】
次に、第１電源コード７１ａのブラケット８１上での形状である「所定の湾曲形状」について図４を参照しつつ説明する。第１電源コード７１ａの所定の湾曲形状とは、たとえば、図４に破線で示すように、第１電源コード７１ａの最小曲げ半径Ｒ２以上の半径を有する湾曲形状である。ここで、最小曲げ半径Ｒ２は、第１電源コード７１ａにキンクが発生しにくい曲げ半径の最小値を意味する。
【００９４】
第１電源コード７１ａは、上記した所定の湾曲形状となるように湾曲させられつつブラケット８１に載置され、拘束部材９２によってブラケット８１に拘束される。すなわち、上記した第４挿通孔８４ｄおよび第４掛止部８５ｄ（拘束部材用取付部）は、ブラケット８１において、第１電源コード７１ａ（延出部材）を所定の湾曲形状で維持したまま拘束するような位置に形成される。これにより、第１電源コード７１ａにおいては、最小曲げ半径Ｒ２を確保することができ、よってキンクの発生を防止することができる。
【００９５】
なお、図５で示した露出部８３、第１〜第４挿通孔８４ａ〜８４ｄおよび第１〜第４掛止部８５ａ〜８５ｄのブラケット８１における位置や個数は、あくまでも例示であって限定されるものではなく、適宜に変更可能である。
【００９６】
図５に示すように、ブラケット８１は、取付部位８２ｃにおいて、複数個（たとえば２個）のネジ挿通孔８７を備える。ネジ挿通孔８７には、取付ネジ９５（図１１参照）が挿通されるが、これについては後述する。
【００９７】
次に、上記したブラケット８１が取り付けられる便器１０の構成について、さらに詳しく説明する。図３に示すように、便器１０は、ブラケット用取付部１８を備える。ブラケット用取付部１８は、袴部１５の内部空間Ａにおいて、排水トラップ管路１３と袴部１５の正面部１５ｃ側の内壁１５ｆとを連続的に結ぶように形成される。
【００９８】
ブラケット用取付部１８には、上記したブラケット８１のネジ挿通孔８７（図３で図示省略）と対応する位置に、雌ネジ孔１９が形成される。したがって、取付ネジ９５（図１１参照）が、ブラケット８１のネジ挿通孔８７を通って雌ネジ孔１９に締結されることで、ブラケット８１は、ブラケット用取付部１８の下面１８ａに取り付けられる。
【００９９】
なお、雌ネジ孔１９には、たとえば図示しないゴムブッシュが取り付けられていてもよい。これにより、ブラケット用取付部１８とブラケット８１との干渉を緩和させることができる。
【０１００】
ブラケット用取付部１８の下面１８ａの床面Ｆからの高さＨ２は、たとえば、便器１０の袴部１５の下端１５ａの高さＨ１よりも所定高さＨ３だけ高くなるように設定されることが好ましい。これにより、袴部１５の内部空間Ａにおいて、所定高さＨ３の空間にブラケット８１が位置されることとなる。
【０１０１】
また、上記したように、袴部１５の下端１５ａと床面Ｆとの間には、使用者が手を入れることができる高さＨ１の隙間が設けられている。したがって、ブラケット８１に載置されたバルブ６０や接続端子７２（図３で図示せず）は、袴部１５内において手動操作可能な位置に位置決めして固定される。具体的には、ブラケット８１に載置されたバルブ６０などは、袴部１５の下端１５ａ近傍の高さに位置決めして固定される。
【０１０２】
これにより、使用者は、たとえば緊急時に袴部１５の下端１５ａ側から手を入れてバルブ６０や接続端子７２を容易に手動操作することが可能になり、衛生洗浄装置３０に対する給水および止水の切り替えや、給電および給電停止の切り替えを容易に行うことができる。なお、この明細書において、バルブ６０や接続端子７２が配置される「袴部１５の下端１５ａ近傍の高さ」とは、たとえば便器１０の下端１５ａ側から入れた使用者の手が届く範囲を意味する。
【０１０３】
また、上記したように、バルブ６０の操作部６０ａは、ブラケット８１の露出部８３を介して下方に露出させられる（図６Ｂ参照）。これにより、使用者は、便器１０の下端１５ａ側からバルブ６０に容易にアクセスして手動操作することができ、衛生洗浄装置３０に対する給水および止水の切り替えをより一層容易に行うことができる。
【０１０４】
また、ブラケット８１は、袴部１５の内部に隠蔽されて収納されることとなるため、外観からはブラケット８１、給水系統や給電系統が見えず、よってトイレ装置１の意匠性を向上させることができる。
【０１０５】
また、ブラケット用取付部１８の下面１８ａは、たとえば便器１０が壁Ｗに取り付けられた状態のときに、床面Ｆに対して平行または略平行となるように形成される、言い換えれば、水平または略水平となるように形成されることが好ましい。これにより、ブラケット用取付部１８に取り付けられたブラケット８１も水平または略水平になるため、ブラケット８１に載置された第１給水管６１ａや第１電源コード７１ａなどがブラケット８１から滑り落ちることを防止することができる。
【０１０６】
また、図２において、ブラケット用取付部１８の下面１８ａを破線で示した。図２に示すように、ブラケット用取付部１８の下面１８ａは、Ｘ軸方向の幅が排水トラップ管路１３の溜水部１３ｂの幅以下となるように形成される。これにより、ブラケット用取付部１８の側方において、第１給水管６１ａなどを含む給水系統や第１電源コード７１ａなどを含む給電系統を十分に収納できる内部空間Ａの広さを確保することができる。
【０１０７】
便器１０の説明を続けると、便器１０は、図２に示すように、引き込み孔２０を備える。引き込み孔２０は、リム部１７の上面１７ｂの壁Ｗ側付近に形成され、衛生洗浄装置３０を便器１０に取り付ける際、衛生洗浄装置３０に接続される第２給水管６１ｂや第２電源コード７１ｂを便器１０の内部空間Ａへ引き込むための孔である。
【０１０８】
図８は、便器１０を袴部１５の背面部１５ｄ側から見たときの図である。図８に示すように、背面部１５ｄには、上記した導水路１１の入口や排水路１４の出口が設けられる。背面部１５ｄにはさらに、給水用引き込み孔２１と、給電用引き込み孔２２と、２つの取付孔２３とが形成される。
【０１０９】
給水用引き込み孔２１は、背面部１５ｄにおいて排水路１４に隣接して形成され、便器１０を壁Ｗに取り付ける際、壁Ｗから延びる第１給水管６１ａを便器１０の内部空間Ａへ引き込むための孔である。
【０１１０】
給電用引き込み孔２２は、背面部１５ｄにおいて給水用引き込み孔２１とは排水路１４を挟んで反対側の位置に形成される。給電用引き込み孔２２は、便器１０を壁Ｗに取り付ける際、壁Ｗから延びる第１電源コード７１ａを便器１０の内部空間Ａへ引き込むための孔である。また、取付孔２３は、壁Ｗから突出される取付用ボルト７５（図９Ａ参照）が挿入される孔である。
【０１１１】
次に、トイレ装置１の組み立て（設置）について図９Ａ以降を参照して説明する。図９Ａは、便器１０を壁Ｗに取り付ける前の状態を示す斜視図であり、図９Ｂは、便器１０を壁Ｗに取り付けた後の状態を示す斜視図である。なお、図９Ａ，９Ｂでは、理解の便宜のため、便器１０を破線で示した。
【０１１２】
図９Ａに示すように、便器１０が取り付けられる前の壁Ｗには、洗浄水供給管５０、排水管５１、第１給水管６１ａ、第１電源コード７１ａ、２本の取付用ボルト７５が設けられている。
【０１１３】
そして、便器１０は、Ｙ軸正方向へ移動させられ、背面部１５ｄが壁Ｗに当接させられる。これにより、図９Ｂに示すように、取付孔２３に取付用ボルト７５が挿通され、かかる取付用ボルト７５が図示しないナットで締結固定されることで、便器１０は壁Ｗに取り付けられる。
【０１１４】
また、洗浄水供給管５０は導水路１１に接続されるとともに、排水管５１が排水路１４に接続される。さらに、第１給水管６１ａは、給水用引き込み孔２１から便器１０内へ引き込まれるとともに、第１電源コード７１ａは、給電用引き込み孔２２から便器１０内へ引き込まれる。
【０１１５】
続いて、衛生洗浄装置３０が便器１０に取り付けられる。図１０は、衛生洗浄装置３０を便器１０に取り付ける様子を示す斜視図である。図１０に示すように、便器１０に衛生洗浄装置３０を取り付ける際、第２給水管６１ｂと第２電源コード７１ｂとが引き込み孔２０を介して便器１０の内部へ引き込まれる。
【０１１６】
その後、便器１０の内部に引き込まれた第１給水管６１ａと第２給水管６１ｂとが、バルブ６０を介して接続されるとともに、第１電源コード７１ａと第２電源コード７１ｂとが第１、第２接続端子７２ａ，７２ｂを介して接続される。続いて、バルブ６０等が、上記したように、ブラケット８１上に載置されて固定される（図４参照）。
【０１１７】
続いて、バルブ６０等が固定されたブラケット８１が、便器１０のブラケット用取付部１８に取り付けられる。図１１は、ブラケット８１を便器１０に取り付ける様子を斜め下から見たときの斜視図である。
【０１１８】
図１１に示すように、取付ネジ９５がブラケット８１のネジ挿通孔８７に挿通させられた後、雌ネジ孔１９に締結されることで、ブラケット８１がブラケット用取付部１８に取り付けられる。これにより、トイレ装置１の組み立てが完了する。
【０１１９】
上述してきたように、第１の実施形態に係るトイレ装置１は、壁掛け式の便器１０と、衛生洗浄装置３０と、バルブ６０と、接続端子７２と、固定部材８０とを備える。便器１０は、汚物を受けるボウル部１２を覆い大便器の外郭を形成する袴部１５を備える。衛生洗浄装置３０は、便器１０の上面に設けられ、使用者の局部を洗浄する。バルブ６０は、衛生洗浄装置３０に対する給水および止水を手動操作によって切り替える。接続端子７２は、衛生洗浄装置３０に対する給電および給電停止を手動操作によって切り替える。固定部材８０は、バルブ６０や接続端子７２を袴部１５内において手動操作可能な位置に位置決めして固定する。これにより、衛生洗浄装置３０に対する給水および止水の切り替えや、給電および給電停止の切り替えを容易に行うことができる。
【０１２０】
また、固定部材８０は、便器１０に取り付けられるブラケット８１と、ブラケット８１に、バルブ６０から延びる第１給水管６１ａや接続端子７２から延びる第１電源コード７１ａを拘束してバルブ６０や接続端子７２を固定する拘束部材９１，９２とを備える。これにより、バルブ６０や接続端子７２を簡易な構成で位置決めして固定することができる。
【０１２１】
また、トイレ装置１は、切替部として、衛生洗浄装置３０に対する給水および止水を切り替えるバルブ、および、衛生洗浄装置３０に対する給電および給電停止を切り替える接続端子を備える。これにより、衛生洗浄装置３０に対する給水および止水の切り替えや、給電および給電停止の切り替えを、簡易な構成で容易に行うことができる。
【０１２２】
（第２の実施形態）
次に、第２の実施形態について説明する。なお、以下の説明では、既に説明した部分と同様の部分については、既に説明した部分と同一の符号を付し、重複する説明を省略する。
【０１２３】
図１２は、第２の実施形態に係るトイレ装置１において、給電系統の接続端子７２付近を拡大して示す拡大断面図である。図１２に示すように、第２の実施形態では、第１接続端子７２ａと第２接続端子７２ｂとの間にスイッチ７３を介挿するように構成した。これにより、衛生洗浄装置３０に対する給電および給電停止の切り替えを簡易な構成で容易に行うことができる。
【０１２４】
具体的に説明すると、スイッチ７３は、たとえば使用者によって手動操作可能な操作部７３ａを備える。スイッチ７３は、かかる操作部７３ａが操作されることで、衛生洗浄装置３０に対する給電および給電停止を切り替える。なお、スイッチ７３は、衛生洗浄装置３０に対する給電および給電停止の切り替える切替部の一例である。
【０１２５】
スイッチ７３としては、たとえばトグルスイッチを用いることができるが、これに限定されるものではなく、プッシュスイッチなどその他の種類のスイッチであってもよい。
【０１２６】
また、ブラケット８１は、図５に想像線で示すように、給電系統載置部位８２ｂにおいて、スイッチ用露出部１８３を備える。スイッチ用露出部１８３は、平面視において矩形状または略矩形状の開口である。
【０１２７】
また、スイッチ用露出部１８３は、ブラケット８１において外周縁８１ａに沿うように形成される。言い換えれば、スイッチ用露出部１８３は、便器１０に取り付けられた状態のブラケット８１において、袴部１５側に寄せた位置、詳しくは袴部１５の側面部１５ｅの内壁１５ｆに寄せた位置に形成される。
【０１２８】
なお、スイッチ用露出部１８３の形状は、上記した矩形状または略矩形状に限定されるものではなく、たとえば円形状や楕円形状などその他の形状であってもよい。また、上記では、スイッチ用露出部１８３は、開口とされるが、これに限られず、たとえば外周縁８１ａを切り欠いた切欠きであってもよい。
【０１２９】
上記したスイッチ用露出部１８３には、図１２に示すように、スイッチ７３が載置され、スイッチ７３の操作部７３ａが、スイッチ用露出部１８３を介してブラケット８１の下方に露出させられる。
【０１３０】
ブラケット８１は、上記したように、袴部１５内のブラケット用取付部１８に取り付けられることから、スイッチ７３は、袴部１５内において手動操作可能な位置に位置決めして固定される。具体的には、ブラケット８１に載置されたスイッチ７３は、袴部１５の下端１５ａ近傍の高さに位置決めして固定される。
【０１３１】
これにより、使用者は、たとえば緊急時にスイッチ７３を手動操作することで、衛生洗浄装置３０に対する給電および給電停止の切り替えをより一層容易に行うことができる。
【０１３２】
また、スイッチ用露出部１８３は、上記したように、ブラケット８１の袴部１５側に寄せた位置に形成される（図５参照）。したがって、図示は省略するが、スイッチ７３は、袴部１５側に寄せた位置、詳しくは袴部１５の側面部１５ｅの内壁１５ｆに寄せた位置に位置決めして固定される。
【０１３３】
これにより、スイッチ７３は、たとえば排水トラップ管路１３側に寄せた位置に配置される場合に比べて、手動操作を行う使用者側に近接して配置される。そのため、使用者は袴部１５の下端１５ａ側から手を入れたときに、スイッチ７３を容易に手動操作することが可能になり、よって衛生洗浄装置３０に対する給水および止水の切り替えをより一層容易に行うことができる。
【０１３４】
また、第４挿通孔８４ｄおよび外周縁側第４掛止部８５ｄ２は、図５に示すように、スイッチ用露出部１８３の近傍に形成されることから、スイッチ７３をより強固にブラケット８１に固定することができ、スイッチ７３の位置ズレを抑制することができる。なお、この明細書において、第４挿通孔８４ｄ等が形成される「スイッチ用露出部１８３の近傍」とは、たとえばスイッチ用露出部１８３に載置されるスイッチ７３に対して、拘束部材９２の拘束力が及ぶ範囲を意味する。
【０１３５】
なお、上記した第１、第２の実施形態においては、衛生洗浄装置３０に対する給水および止水の切り替え、および、衛生洗浄装置３０に対する給電および給電停止の切り替えの両方を行うようにしたが、これに限られず、いずれか一方の切り替えを行うように構成してもよい。
【０１３６】
（第１の変形例）
次に、ブラケット８１の変形例について説明する。上記した第１、第２の実施形態において、ブラケット８１は、便器１０のブラケット用取付部１８に取り付けられるように構成される。これに対し、第１の変形例では、ブラケット１８１が便器１０の袴部１５に取り付けられるようにした。
【０１３７】
図１３は、第１の変形例に係るブラケット１８１の部分断面図である。なお、図１３は、袴部１５の内部空間Ａに位置されたブラケット１８１を背面部１５ｄ側から見たときの部分断面図であり、第１給水管６１ａなど一部の部材を省略している。
【０１３８】
図１３に示すように、ブラケット１８１は、外周縁８１ａから下方へ向けて延在して形成される壁部１８１ｄを備える。壁部１８１ｄは、ブラケット１８１の外周縁８１ａの一部、たとえば外周縁８１ａのうち袴部１５の側面部１５ｅの内壁１５ｆに対向する部位に形成されるが、これに限られず、外周縁８１ａの全部に亘って形成されてもよい。
【０１３９】
上記した壁部１８１ｄには、ネジ挿通孔１８１ｅが形成される。また、袴部１５の内壁１５ｆには、壁部１８１ｄのネジ挿通孔１８１ｅと対応する位置に、雌ネジ孔１５ｇが形成される。
【０１４０】
したがって、取付ネジ１９５が、ブラケット１８１の壁部１８１ｄのネジ挿通孔１８１ｅに挿通させられた後、雌ネジ孔１５ｇに締結されることで、ブラケット１８１は、壁部１８１ｄを介して袴部１５の内壁１５ｆに取り付けられる。このように、第１の変形例にあっては、ブラケット１８１を便器１０の袴部１５内に容易に取り付けることができる。
【０１４１】
（第２の変形例）
図１４は、第２の変形例に係るブラケット２８１の斜視図である。図１４に示すように、第２の変形例に係るブラケット２８１にあっては、第１、第２給水管６１ａ，６１ｂなどが載置されるべき場所に溝部２８６を形成するようにした。
【０１４２】
これにより、溝部２８６は、第１、第２給水管６１ａ，６１ｂ等をブラケット２８１に載置する際のガイド部として機能し、よって第１、第２給水管６１ａ，６１ｂ等を容易にブラケット２８１に載置することが可能となる。
【０１４３】
また、ブラケット２８１に載置された第１、第２給水管６１ａ，６１ｂ等にあっては、溝部２８６に嵌められた状態となって移動しにくくなることから、第１、第２給水管６１ａ，６１ｂ等の位置ズレを抑制することができる。
【０１４４】
また、溝部２８６の深さや大きさによっては、第１、第２給水管６１ａ，６１ｂ等をブラケット２８１に強固に固定することが可能となり、かかる場合は、拘束部材９１や第１〜第３挿通孔８４ａ〜８４ｃ、第１〜第３掛止部８５ａ〜８５ｃを除去してもよい。
【０１４５】
なお、図１４に示す例では、第１、第２給水管６１ａ，６１ｂ等が載置されるべき場所のうち、全てに溝部２８６を形成するようにしたが、これは例示であって限定されるものではなく、一部に溝部２８６を形成するようにしてもよい。
【０１４６】
また、図示は省略するが、ブラケット２８１において、上記した溝部２８６に加えてまたは代えて、第１、第２電源コード７１ａ，７１ｂなどが載置されるべき場所に溝部を形成するように構成してもよい。
【０１４７】
なお、上記した実施形態において、ブラケット８１，１８１，２８１の形状は、上記した略Ｕ字状に限定されるものではなく、たとえば平面視において略Ｏ字状に形成されるなどその他の形状であってもよい。
【０１４８】
また、上記したブラケット８１，１８１，２８１においては、給水系統載置部位８２ａと給電系統載置部位８２ｂと取付部位８２ｃとが一体的に形成されるようにしたが、これに限定されるものではない。すなわち、たとえば、ブラケット８１，１８１，２８１において、取付部位８２ｃが除去され、給水系統載置部位８２ａと給電系統載置部位８２ｂとが別体に形成されていてもよい。かかる場合、給水系統載置部位８２ａと給電系統載置部位８２ｂとがそれぞれ便器１０に取り付けられることとなる。
【０１４９】
また、上記では、第１給水管６１ａを含む給水系統や第１電源コード７１ａを含む給電系統を、ブラケット８１，１８１，２８１の上面に載置するようにしたが、これに限られず、たとえばブラケット８１，１８１，２８１の下面に位置させるようにしてもよい。
【０１５０】
また、図示は省略するが、バルブ６０等が袴部１５の内側にあることを示す目印を袴部１５に付すようにしてもよい。具体的には、袴部１５において、バルブ６０や接続端子７２、スイッチ７３に対応する位置で、かつ、使用者の目視可能な位置に、バルブ６０等が袴部１５の内側にあることを示す目印（たとえば図形、記号、文字など）を付すようにしてもよい。これにより、使用者は、バルブ６０等の位置を容易に把握することができ、よってたとえば緊急時にバルブ６０等の操作を早期に行うことが可能となる。
【０１５１】
また、上記したネジ挿通孔８７，１８１ｅおよび雌ネジ孔１９，１５ｇが形成される位置や個数は、あくまでも例示であって限定されるものではなく、適宜に変更可能である。
【０１５２】
また、上記において、便器１０は、タンクに貯留された洗浄水で洗浄を行うロータンク式としたが、これに限定されるものではなく、たとえばフラッシュバルブ式であってもよい。また、上記では、洗浄ノズル４３は、使用者の局部を洗浄するようにしたが、これに限られず、たとえば水を使用前の便器１０の汚物受け面１６へ噴出させて汚物の付着を抑制するように構成してもよい。
【０１５３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１５４】
１    トイレ装置
１０    便器
１２    ボウル部
１５    袴部
１８，１８１，２８１  ブラケット用取付部
３０    衛生洗浄装置
６０    バルブ
６０ａ  操作部
６１ａ  第１給水管
６１ｂ  第２給水管
６２ａ  第１接続部材
６２ｂ  第２接続部材
７１ａ  第１電源コード
７１ｂ  第２電源コード
７２    接続端子
７２ａ  第１接続端子
７２ｂ  第２接続端子
７３    スイッチ
７３ａ  操作部
８０    固定部材
８１    ブラケット（取付部材）
８３    露出部
９１，９２  拘束部材
１８１ｄ  壁部
【図１】
0006617473.tif 000002
【図２】
0006617473.tif 000003
【図３】
0006617473.tif 000004
【図４】
0006617473.tif 000005
【図５】
0006617473.tif 000006
【図６Ａ】
0006617473.tif 000007
【図６Ｂ】
0006617473.tif 000008
【図６Ｃ】
0006617473.tif 000009
【図７Ａ】
0006617473.tif 000010
【図７Ｂ】
0006617473.tif 000011
【図８】
0006617473.tif 000012
【図９Ａ】
0006617473.tif 000013
【図９Ｂ】
0006617473.tif 000014
【図１０】
0006617473.tif 000015
【図１１】
0006617473.tif 000016
【図１２】
0006617473.tif 000017
【図１３】
0006617473.tif 000018
【図１４】
0006617473.tif 000019